(57)【要約】    【課題】  シート状物の汚れを効果的に除去することができるシート状物の洗浄装置を提供する。    【解決手段】  対をなす洗浄ブラシ７，７Ａ，８，８Ａ間を通して洗浄液46によりシート状物101を洗浄する。同一方向に回転する対をなす洗浄ブラシ７，７Ａと、これらと逆方向に回転する対をなす洗浄ブラシ８，８Ａとを備える。対をなす洗浄ブラシ７，７Ａ，８，８Ａが同一方向に回転することにより、シート状物101の表裏の一方には搬送方向でブラシ線材22が当たると共に、他方には搬送方向と逆方向でブラシ線材22が当たり、さらに、他の対をなす洗浄ブラシ８，８Ａにおいては、シート状物101の表裏の一方には搬送方向と逆方向でブラシ線材22Ａが当たると共に、他方には搬送方向でブラシ線材22Ａが当たり、シート状物101の縁などの汚れを効果的に落すことができる。【選択図】      図３
2006263622.tif 000002
【特許請求の範囲】
【請求項１】
対をなす回転式の洗浄ブラシを備え、前記対をなす洗浄ブラシ間を通して洗浄液によりシート状物を洗浄するシート状物の洗浄装置において、同一方向に回転する前記対をなす洗浄ブラシと、これらと逆方向に回転する前記対をなす洗浄ブラシとを備えることを特徴とするシート状物の洗浄装置。
【請求項２】
前記洗浄ブラシは放射状に設けたブラシ線材を有し、前記隣り合う洗浄ブラシの前記ブラシ線材群が異なることを特徴とする請求項１記載のシート状物の洗浄装置。
【請求項３】
前記ブラシ線材の直径が異なることを特徴とする請求項２記載のシート状物の洗浄装置。
【請求項４】
前記洗浄ブラシ内に洗浄液供給部を設けたことを特徴とする請求項１〜３のいずれか１項に記載のシート状物の洗浄装置。
【発明の詳細な説明】
【技術分野】
【０００１】
本発明は、上下対をなす洗浄ブラシ間にシート状物を通して洗浄するシート状物の洗浄装置に関する。
【背景技術】
【０００２】
従来、この種のものとして、上部挟み込みローラと下部挟み込みローラでシート体を挟み、上部洗浄ローラと下部洗浄ローラで洗浄し、次に上下部挟み込みローラでシート体を挟み、送る行程を連続して行う装置がある（例えば特許文献１及び特許文献２）。
【０００３】
上記の装置では、洗浄液を循環させ、ローラによる洗浄を行うが、この方式では、シート状物から落した汚れがローラ側に付着し、この汚れが再びシート状物を付着することがあり、その場合は洗浄液などによる濯ぎ工程などが必要となり、非常に手間がかかる。さらに、従来の装置では、粘性の高いグリスなどの汚れに対して十分な洗浄効果が得られなかった。
【０００４】
また、洗浄ブラシを備えた洗浄装置においては、上記特許文献１及び２のように、ローラがシート状物を送る方向に回転する。この場合、搬送用のローラーに比べて洗浄用ブラシの回転を早く設定しており、洗浄用ブラシがシート状物を強制的に送ってしまい、搬送不良を招いたり、洗い残しが発生したりする原因になっていた。
【０００５】
ところで、可逆性感熱記憶媒体のシート状物とした所謂産業用リライタブルシート（可逆性感熱記憶部材）があり、前記シート状物は、樹脂などからなり、支持体上に感熱層と保護層とを有し、熱により繰り返し文字情報などを記載することができ、さらに、ＩＣタグが添付することにより、各種の情報を記憶することができる（例えば特許文献３及び特許文献４）。
【０００６】
上記のような産業用リライタブルシートは、工場などにおける加工指示書などに好適であり、繰り返し使用される。このような現場作業を伴う使用条件では、シート状物に汚れ、例えば油などが付着し易い。このため、繰り返し使用時で、内容を書き換えする前に洗浄する必要がある。
【０００７】
しかし、上述したように、従来の洗浄装置は、油などの除去効率が劣っていた。また、従来の装置では、洗浄ブラシの回転方向が搬送方向と同一方向であるため、シート状物の縁や、シート状物にＩＣタグなどが添付されている場合、そのエッジ部やその張り合わせ段差部分に汚れが残り易かった。
【特許文献１】特開２００２−４５８１５号公報
【特許文献２】特開平７−３９８４３号公報
【特許文献３】特開２００５−３５２７６号公報
【特許文献４】特開２００５−２６５２４７号公報
【発明の開示】
【発明が解決しようとする課題】
【０００８】
そこで、本発明は、シート状物の汚れを効果的に除去することができるシート状物の洗浄装置を提供することを目的とする。
【課題を解決するための手段】
【０００９】
請求項１の発明は、対をなす回転式の洗浄ブラシを備え、前記対をなす洗浄ブラシ間を通して洗浄液によりシート状物を洗浄するシート状物の洗浄装置において、同一方向に回転する前記対をなす洗浄ブラシと、これらと逆方向に回転する前記対をなす洗浄ブラシとを備えるものである。
【００１０】
また、請求項２の発明は、前記洗浄ブラシは放射状に設けたブラシ線材を有し、前記隣り合う洗浄ブラシの前記ブラシ線材群が異なるものである。
【００１１】
また、請求項３の発明は、前記ブラシ線材の直径が異なるものである。
【００１２】
また、請求項４の発明は、前記洗浄ブラシ内に洗浄液供給部を設けたものである。
【発明の効果】
【００１３】
請求項１の構成によれば、対をなす洗浄ブラシが同一方向に回転することにより、シート状物の表裏の一方には搬送方向でブラシが当たると共に、他方には搬送方向と逆方向でブラシが当たり、さらに、他の対をなす洗浄ブラシにおいては、シート状物の表裏の一方には搬送方向と逆方向でブラシが当たると共に、他方には搬送方向でブラシが当たり、洗浄液の効果と合わせて、シート状物の縁などの汚れを効果的に落すことができ、例えば、表面に段差部分があっても、その周囲の汚れを掻き落すことができる。
【００１４】
また、請求項２の構成によれば、隣り合う洗浄ブラシでブラシ線材が異なるから、異なる当接状態となり、異なる掻き取る力で汚れを掻き取ることができる。
【００１５】
また、請求項３の構成によれば、ブラシ線材の径が細いものは、比較的柔らかいブラシとなり、太いものは、比較的硬いブラシとなり、例えば、柔らかい洗浄ブラシで、洗浄液を汚れに馴染ませるようにして汚れを掻き取り、残った汚れを硬い洗浄ブラシにより掻き落として飛ばすことができる。
【００１６】
また、請求項４の構成によれば、洗浄ブラシ内から洗浄液を供給することにより、洗浄液がブラシに均一に供給され、その洗浄液によりシート状物を効果的に洗浄することができる。
【発明を実施するための最良の形態】
【００１７】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規なシート状物の洗浄装置を採用することにより、従来にないシート状物の洗浄装置が得られ、そのシート状物の洗浄装置について記述する。
【実施例１】
【００１８】
以下、本発明の実施例を添付図面を参照して説明する。図１〜図８は本発明の実施例１を示し、同図に示すように、洗浄装置１は、本体ケース２の一側に搬入部３，他側に搬出部４を備え、それら搬入部３と搬出部４との間で本体ケース２内に搬送路５が設けられている。この搬送路５には、搬入部３側から、上下一対の送りローラ６，６Ａ、上下一対の第１の洗浄ブラシ７，７Ａ、上下一対の第２の洗浄ブラシ８，８Ａ、上下一対の送りローラ９，９Ａ、拭き取り部を構成する上下一対の拭き取りローラ10，10Ａ、乾燥部11及び上下一対の送りローラ12，12Ａが搬出部４に向って配置されている。
【００１９】
また、本体ケース２の搬入部３側には、図２に示すように、供給ケース13が設けられ、この供給ケース13内には、前記搬入部３にシート状物101を供給する供給装置14が設けられ、供給装置14から供給されたシート状物101は、図８の矢印に示すように、幅方向を搬送方向として搬送路５を搬送される。
【００２０】
また、前記第１の洗浄ブラシ７，７Ａと上下一対の第２の洗浄ブラシ８，８Ａ間の搬送路５において、それらブラシ７，７Ａ，８，８Ａへの巻き込みなどを防止し、シート状物101を案内するガイド手段15が設けられている。
【００２１】
前記送りローラ６，６Ａ，９，９Ａ，12，12Ａは、シート状物101を送る方向にそれぞれ等速度で回転し、すわなち、図中、例えば図３などに示すように、搬送方向は左側であり、上の送りローラ６，９，12は時計回り方向に回転駆動し、下の送りローラ６Ａ，９Ａ，12Ａは反時計回り方向に回転駆動する。それら送りローラ６，６Ａ，９，９Ａ，12，12Ａは本体ケース２に回動自在に軸支され、これらを回転駆動するため、図示しない駆動手段と駆動機構とこれらを制御する制御手段とを備える。この制御手段は、駆動手段と駆動機構を制御し、始動と停止やローラの回転速度の調整を行うことができる。
【００２２】
尚、送りローラ６，６Ａと送りローラ９，９Ａとの間隔、送りローラ９，９Ａと送りローラ12，12Ａとの間隔は、シート状物101の搬送方向長さよりも狭く設定されており、これによりシート状物101は、搬送中、少なくともいずれか１組の送りローラ６，６Ａ，９，９Ａ，12，12Ａに接して送られることになる。
【００２３】
前記洗浄ブラシ７，７Ａは、回転軸21に複数のブラシ線材22を放射状に設けたブラシ線材22群を有するブラシローラであり、前記洗浄ブラシ８，８Ａは、回転軸21に複数のブラシ線材22Ａを放射状に設けたブラシ線材22Ａ群を有するブラシローラであり、前記ブラシ線材22，22Ａは、ポリプロピレンなどの合成樹脂等からなる線材で、所謂ブラシの毛であって、同一材質で略同一密度の場合では、第２の洗浄ブラシ８，８Ａのブラシ線材22Ａの直径を第１の洗浄ブラシ７，７Ａの直径より太くすることにより、ブラシ線材22，22Ａの先端側によりシート状物101の表面に加わる力を変えている。あるいは、略同一密度で、ブラシ線材22，22Ａの材質などを変えることによりブラシ線材22Ａよりブラシ線材22の撓み性を小くすることによりブラシ線材22，22Ａの先端側によりシート状物101の表面に加わる力を変えたり、ブラシ線材22，22Ａの密度を変え、ブラシ線材22Ａをブラシ線材22より密に設けることにより、ブラシ線材22，22Ａの先端側によりシート状物101の表面に加わる力を変えたりすることができる。このように、線材22，22Ａの直径、材質、密度あるいは組み合わせなどを変えて、掻き取り力を変えるようにブラシ線材を異なる設定とする。
【００２４】
また、上下で対をなす前記洗浄ブラシ７，７Ａは、同一方向に回転し、また、上下で対をなす前記洗浄ブラシ８，８Ａは、同一方向に回転し、且つ搬送方向に隣り合う洗浄ブラシ７，７Ａと洗浄ブラシ８，８Ａは、逆方向に回転する。すなわち、本実施例では、図３中、対をなす第１の洗浄ブラシ７，７Ａは時計回り方向に回転し、これと隣り合う対をなす第２の洗浄ブラシ８，８Ａは反時計回り方向に回転する。それら洗浄ブラシ７，７Ａ，８，８Ａは本体ケース２に回動自在に軸支され、これらを回転駆動するため、図示しない駆動手段と駆動機構とこれらを制御する制御手段を備える。この制御手段は、駆動手段と駆動機構を制御し、始動と停止やローラの回転速度の調整を行うことができる。尚、洗浄ブラシ７，７Ａ，８，８Ａは、送りローラの５倍以上の速度で回転する。
【００２５】
ここで、前記ガイド手段15について説明する。図１，図３，図４及び図５に示すように、ガイド手段15に係り、前記第１の洗浄ローラ６，６Ａの手前（搬入側）には、下案内板23Ａが設けられ、この案内板23Ａの上に搬送路５の一部である案内路24が形成され、この案内路24の前側には搬入部３側に拡大する拡大案内部25が形成されている。尚、この拡大案内部25は、下案内板23Ａの前側を下方に向けることにより形成される。また、第１の洗浄ローラ７，７Ａと第２の洗浄ローラ８，８Ａとの間には、上下対をなす案内板26，26Ａが設けられ、それら案内板26，26Ａは、間に搬送路５の一部である案内路27を形成し、この案内路27の前側には搬入部３側に拡大する拡大案内部28が形成されている。尚、この拡大案内部28は、上案内板26を前側を上側に向け、下案内板23Ａの前側を下方に向けることにより形成され、下の案内板26Ａの案内路27を構成する部分は、上の案内板26の案内路27を構成する部分より搬入側に位置している。また、第２の洗浄ローラ８，８Ａとの搬出側には、上下対をなす案内板26Ｂ，26Ｃが設けられ、それら案内板26Ｂ，26Ｃは、間に搬送路５の一部である案内路29を形成し、この案内路29の前側には搬入部３側に拡大する拡大案内部28Ａが形成されている。尚、この拡大案内部28Ａは、上案内板26Ｂを前側を上側に向け、下案内板23Ｃの前側を下方に向けることにより形成され、上の案内板26Ｂの案内路29を構成する部分は、下の案内板26Ｃの案内路29を構成する部分より搬入側に位置している。それら案内板23，26，26Ａ，26Ｂ，26Ｃは前記洗浄ブラシ７，７Ａ，８，８Ａと略同一幅であり、両側を搬送方向の取付部材30，30に固定している。尚、シート状物101の幅より洗浄ブラシ７，７Ａ，８，８Ａの幅を広く設定している。また、前記上の案内板26，26Ｂの間には、搬送方向の案内杆31が複数設けられ、これら複数の案内杆31は幅方向に間隔をおいて配置され、その下部を前記シート状物101が搬送される。尚、前記案内杆31は、比較的細い線材を用いることが好ましく、例えば金属などの硬質材料からなる。
【００２６】
前記洗浄ブラシ７，７Ａ，８，８Ａは、本体ケース１の前側の洗浄室32内に収納され、この洗浄室32の上部の上部洗浄ケース33により略覆われている。前記洗浄ブラシ７，７Ａ，８，８Ａの搬入側及び搬出側には、それぞれ上下対をなすスクレーパ34，34Ａが設けられ、このスクレーパ34，34Ａはゴム板などの弾性材からなり、上のスクレーパ34は先端側が斜め後下向きで、下のスクレーパ34Ａは先端側斜め後上向きで、それらスクレーパ34，34Ａの先端間に前記搬送路５がある。尚、搬入側のスクレーパ34，34Ａは、送りローラ６，６Ａの後（搬出側）にあり、搬出側のスクレーパ34，34Ａは、送りローラ９，９Ａの前（搬入側）にあり、スクレーパ34，34Ａの本体ケース２幅方向の幅は、シート状物101より広く設定されている。
【００２７】
前記送りローラ９，９Ａの後には、前記拭き取りローラ10，10Ａが設けられ、これら拭き取りローラ10，10Ａは、外周側がスポンジなどの多孔質材であって、液体を吸い取る材料からなり、シート状物101に残った液体を拭き取る。
【００２８】
前記拭き取りローラ10，10Ａと送りローラ12，12Ａの間の前記乾燥部11において、搬送路５には、上下の案内部材35，35Ａが略平行に設けられ、これら案内部材35，35Ａは板状部材であって、図４に示すように、複数の貫通孔36が開口し、その乾燥部11の上下には、それぞれ吹出口37，37Ａが設けられ、吹出口37から下方に向って吹き出し、吹出口37Ａから上方に向かって吹き出すように構成されており、搬送中のシート状物101の表裏に温風を吹き付けるようになっている。
【００２９】
次に、洗浄液回りの構成につき説明する。図６に示すように、前記洗浄ローラ７，７Ａ，８，８Ａの回転軸21は中空に形成されており、複数の供給部たる供給孔42が長さ方向に略等間隔で穿設されている。尚、回転軸21は本体ケース２に回動可能に軸支されている。また、回転軸21の一方は閉塞され、他方は自在継手などにより供給管43に接続されている。第１の洗浄ブラシ７，７Ａの供給管43，43はポンプ等の液送装置44に接続され、第２の洗浄ブラシ８，８Ａの供給管43，43はポンプ等の液送装置44Ａに接続され、それら液送装置44，44Ａは、洗浄液タンク45内の洗浄液46を、前記供給管43に圧送する。
【００３０】
前記洗浄液タンク45は略箱型をなし、上部に落下受け孔47が形成されており、この落下受け孔47にフィルター手段48が設けられている。この落下受け孔47の上方に前記洗浄ブラシ７，７Ａ，８，８Ａが位置し、さらに、第２の洗浄ブラシ８，８Ａの下方には、案内底板部51が設けられ、前記底板部51の後側51Ａは前記拭き取りローラ10，10Ａの下方まで斜め上向きで延設されている。
【００３１】
したがって、供給孔42から噴射された洗浄液46は、下方の洗浄液タンク45へと回収され、また、拭き取りローラ10，10Ａから落下した洗浄液46は、底板部51の後側51Ａ上を伝わって洗浄液タンク45内に回収される。
【００３２】
尚、図中、52は洗浄液タンク45内の洗浄液46の状態を検出する検出手段であり、例えば、洗浄液の量を検出する液量計や、洗浄成分の濃度などを検出する濃度計など各種の検出手段が用いられる。
【００３３】
前記供給装置14は、シート状物101を積層収納する収納部61と、この収納部61の最上部に位置するシート状物101を１枚ずつ搬入部３内に連続的に供給する供給駆動部62とを備え、この供給駆動部62は送りローラ63を有する。
【００３４】
図８は、シート状物101の一例を示し、上記背景技術で説明した産業用リライタブルシートであり、樹脂などからなるシート本体102の一側面に感熱層と保護層とが設けられ、熱により文字などの表示情報などを繰り返し記載することができ、例えば一定温度に加熱して急冷すると、その箇所が発色し、前記一定温度より低い温度に加熱して急冷すると、消色するものなどが用いられ、さらに、そのシート本体102の他側面には、非接触式ＩＣモジュールを有するＩＣタグ103が設けられ、このＩＣタグ103は保護層で覆われている。
【００３５】
次に、前記構成に付き、その作用を説明する。供給装置14から搬入部３へ送られてきたシート状物101は、搬送路５において、送りローラ６，６Ａ，９，９Ａ，12，12Ａのいずれかにより搬出部４へと送られ、まず、表裏面にスクレーパ34，34Ａが摺動し、付着する汚れが落される。次に、シート状物101は、第１の洗浄ローラ７，７Ａにおいて、表面側は送り方向にブラシ線材22が当たり、裏面側は送りと逆方向にブラシ線材22が当たり、それら第１の洗浄ローラ７，７Ａの供給孔42からは洗浄液46が噴射されており、洗浄ローラ７，７Ａにより汚れを落とすと共に、柔らかい線材22が油などの汚れに洗浄液46を馴染ませる。続いて、第２の洗浄ブラシ８，８Ａにおいて、逆に、表面側は送りと逆方向にブラシ線材22Ａが当たり、裏面側は送り方向にブラシ線材22Ａが当たり、それら第２の洗浄ローラ８，８Ａの供給孔42からは洗浄液46が噴射されており、さらに、比較的硬い線材22Ａにより、前記汚れが掻き飛ばされる。
【００３６】
続いて、シート状物101はスクレーパ34，34Ａを通過することにより、洗浄液46が掻き取られて除去され、次の拭き取りローラ10，10Ａにより残った洗浄液46が拭き取られ、この後、乾燥部11において、表裏から温風が吹き付けられて液分が除去され、搬出部５から本体ケース２の外部に搬出される。
【００３７】
洗浄ローラ７，７Ａ，８，８Ａの洗浄においては、液送装置44，44Ａの駆動により回転軸21の供給孔42から洗浄液46が噴射されており、この洗浄液46はシート状物101を洗浄した後、下部の洗浄液タンク45内に落下し、そのフィルター手段48により混入した汚れが除去され、繰り返し循環して使用される。
【００３８】
また、上述したように、第１の下の洗浄ローラ７Ａは、シート状物101に対して送り方向と逆にブラシ線材22が当接するが、その洗浄ローラ７Ａの搬送側には案内板26Ａの前端側が近接して設けられているため、送りローラ６，６Ａの送りと合わせて、シート状物101を円滑に送ることができる。さらに、第２の上の洗浄ローラ８は、シート状物101に対して送り方向と逆にブラシ線材22Ａが当接するが、搬送路５の上方において、案内板26と案内板26Ｂとの間に、複数の案内杆31が配置されているから、シート状物101の上面（表面）が案内杆31により案内されて円滑に案内路29へと送り出すことができる。
【００３９】
このように本実施例では、請求項１に対応して、対をなす回転式の洗浄ブラシ７，７Ａ，８，８Ａを備え、対をなす洗浄ブラシ７，７Ａ，８，８Ａ間を通して洗浄液46によりシート状物101を洗浄するシート状物101の洗浄装置において、同一方向に回転する対をなす洗浄ブラシ７，７Ａと、これらと逆方向に回転する対をなす洗浄ブラシ８，８Ａとを備えるから、対をなす洗浄ブラシ７，７Ａ，８，８Ａが同一方向に回転することにより、シート状物101の表裏の一方には搬送方向でブラシ線材22が当たると共に、他方には搬送方向と逆方向でブラシ線材22が当たり、さらに、他の対をなす洗浄ブラシ８，８Ａにおいては、シート状物101の表裏の一方には搬送方向と逆方向でブラシ線材22Ａが当たると共に、他方には搬送方向でブラシ線材22Ａが当たり、洗浄液46の効果と合わせて、シート状物101の縁などの汚れを効果的に落すことができ、例えば、表面に段差部分があっても、その周囲の汚れを掻き落すことができる。
【００４０】
また、このように本実施例では、請求項２に対応して、洗浄ブラシ７，７Ａ，８，８Ａは放射状に設けたブラシ線材22，22Ａを有し、隣り合う洗浄ブラシ７，７Ａと洗浄ブラシ８，８Ａのブラシ線材22，22Ａ群が異なるから、シート状物101に対して異なる当接状態となり、異なる掻き取る力で汚れを掻き取ることができる。
【００４１】
また、このように本実施例では、請求項３に対応して、ブラシ線材22，22Ａの直径が異なるから、ブラシ線材22の径が細いものは、比較的柔らかいブラシとなり、ブラシ線材22Ａが太いものは、比較的硬いブラシとなり、例えば、柔らかい洗浄ブラシ７，７Ａで、洗浄液46を汚れに馴染ませるようにして汚れを掻き取り、残った汚れを硬い洗浄ブラシ８，８Ａにより掻き落として飛ばすことができる。
【００４２】
また、このように本実施例では、請求項４に対応して、洗浄ブラシ７，７Ａ，８，８Ａ内に洗浄液供給部たる供給孔42を設けたから、洗浄ブラシ７，７Ａ，８，８Ａ内から洗浄液46を供給することにより、洗浄液46がブラシ７，７Ａ，８，８Ａに均一に供給され、その洗浄液46によりシート状物101を効果的に洗浄することができる。
【００４３】
また、実施例上の効果として、案内板23，23Ａ，26，26Ａ，26Ｂ，26Ｃ及び案内杆31とを有するガイド手段15を備えるから、シート状物101の搬送方向に対して、反対側にブラシ線材22，22Ａの先端が移動しながら回転する洗浄ブラシ７，８Ａを用いても、シート状物101を円滑に送ることができる。
【００４４】
なお、本発明は、前記実施例に限定されるものではなく、種々の変形実施が可能である。例えば、実施例では、洗浄ブラシと２対設けた例を示したが、３対以上でもよい。また、ブラシ線材は各種の材質のものを用いることができる。さらに、シート状物は実施例のものに限定されず、シート状をなす樹脂製の袋や、金属製の板などでもよい。
【図面の簡単な説明】
【００４５】
【図１】本発明の実施例１を示す本体ケースの断面図である。
【図２】同上、供給装置の断面図である。
【図３】同上、搬送路回りの断面図である。
【図４】同上、要部の平面図である。
【図５】同上、一部を切り欠いた洗浄ローラ及びガイド手段の斜視図である。
【図６】同上、供給部を示す回転軸の断面図である。
【図７】同上、洗浄液の循環を説明する搬送路回りの断面図である。
【図８】同上、シート状物を示し、図８（Ａ）は断面図、図８（Ｂ）は側面図である。
【符号の説明】
【００４６】
１  洗浄装置
３  搬入部
４  搬出部
５  搬送路
７，７Ａ  第１の洗浄ブラシ
８，８Ａ  第２の洗浄ブラシ
22  ブラシ線材
22Ａ  ブラシ線材
42  供給孔（供給部）
46  洗浄液
101  シート状物
103  ＩＣタグ
【図１】
2006263622.tif 000003
【図２】
2006263622.tif 000004
【図３】
2006263622.tif 000005
【図４】
2006263622.tif 000006
【図５】
2006263622.tif 000007
【図６】
2006263622.tif 000008
【図７】
2006263622.tif 000009
【図８】
2006263622.tif 000010